(57)【特許請求の範囲】
【請求項１】
任意に設定可能な第１フレームレートを有する第１映像信号を生成する撮像器を備えたテレビジョンカメラであって、
前記撮像器から出力される前記第１映像信号を一時記憶する記憶器と、
前記記憶器に対する前記第１映像信号の書き込み制御を行う書き込み制御器と、
前記記憶器に記憶している映像信号の読み出し制御を行う読み出し制御器とを備え、
前記書き込み制御器は、前記第１映像信号を構成する第１フレームデータそれぞれを、前記第１フレームレートで規定される周期毎に前記記憶器に書き込むものであり、
前記読み出し制御器は、前記記憶器が記憶している前記第１フレームデータを、第２映像信号として読み出すものであり、
前記第２映像信号は、このテレビジョンカメラの出力規格フォーマットで規定される規格フレームレートを有する規格映像信号中に、前記第１フレームデータが所定の配置規則に基づいて一部重複された状態で順次配置されたものであり、
前記所定の配置規則は、前記規格フレームレートと同一もしくはそれより低い第２フレームレート（規格フレームレート≧第２フレームレート）を有する映像信号のフレームデータを、映像上の実時間が互いに一致するように前記規格映像信号中に重複配置する際の配置規則である、
ことを特徴とするテレビジョンカメラ。
【請求項２】
請求項１に記載のテレビジョンカメラにおいて、
前記撮像器が生成する前記第１映像信号は、時間的にアトランダムな間欠撮像によって生成された映像信号を含むものである、
ことを特徴とするテレビジョンカメラ。
【請求項３】
請求項１または２に記載のテレビジョンカメラにおいて、
前記第２映像信号を記録媒体に記録する記録器を有することを特徴とするテレビジョンカメラ。
【請求項４】
請求項１ないし３のいずれかに記載のテレビジョンカメラにおいて、
前記記憶器から出力される第２映像信号を表示画像に変換して表示する表示器をさらに備える、
ことを特徴とするテレビジョンカメラ。
【請求項５】
請求項１ないし３のいずれかに記載のテレビジョンカメラにおいて、
前記第１映像信号をこのテレビジョンカメラの出力規格フォーマットで規定される規格フレームレートを有する規格映像信号に変換する変換器と、
前記記憶器から出力される第２映像信号と、前記変換器から出力される規格映像信号とを切り換える切換器と、
前記切換器の出力を表示画像に変換して表示する表示器と、
をさらに備えることを特徴とするテレビジョンカメラ。
【発明の詳細な説明】
【０００１】
【発明の属する技術分野】
本発明は、任意に設定可能なフレームレートに基づいた映像信号を撮像可能なテレビジョンカメラに関する。
【０００２】
【従来の技術】
従来から、任意にフレームレートを設定することができる撮像器（ＣＣＤ装置等）を有する記録装置一体型のテレビジョンカメラがある。さらには、このテレビジョンカメラとフレームレート変換装置とを組み合わせることで、出力する映像に複雑な時間映像効果を付与することができる映像処理システムがある。
【０００３】
この映像処理システムによる映像データの処理工程を図１２,図１３のタイミングチャートを参照して説明する。まず、図１２に示す処理過程を説明する。撮像器において６０ｆｐｓのフレームレートで撮像された第１映像信号（図１２（ａ）参照）が、テレビジョンカメラにおいて、６０ｐｆｓの第１映像信号のままでビデオテープに記録される（図１２（ｂ）参照）。そして、そのビデオテープがフレームレート変換装置の再生装置に装填されて再生される。再生された第１映像信号に対して、フレームレート変換装置において、２−３プルダウン変換処理が実施される。２−３プルダウン変換処理とは、第１映像信号を構成するフレームデータにおいて隣り合う１組のフレームデータ（例えば、図中、”３”,”４”のフレームデータ）の一方を２回重複して並列配置し（例えば、”３”,”３”）、他方を３回重複して並列配置する（例えば、”４”,”４”,”４”）ことをいう。ただし、この場合においては、変換前の各フレームデータが変換後の各フレームデータに同期するようにフレームレート変換が実施される。したがって、変換前後においてフレームレートは変更されることなく、各フレームデータの格納期間は、変換前後で１／６０ｓｅｃとなり、変化することがない。
【０００４】
このようなフレームレート変換処理が実施された第２映像信号においては、２−３プルダウン変換処理が実施されることで、変換前の映像信号における２フレーム分のフレームデータ格納期間（２×１／６０ｓｅｃ＝１／３０ｓｅｃ）が、変換後には、５×１／６０ｓｅｃ＝１／１２ｓｅｃに伸張される。したがって、変換後の映像信号を再生すれば、１／２．５倍のスロー再生となる。
【０００５】
次に、図１３に示す処理過程を説明する。まず、撮像器において１２ｆｐｓのフレームレートで撮像された第１映像信号（図１３（ａ）参照）が、テレビジョンカメラ内の信号処理回路において加工映像信号に加工される。加工映像信号は、第１映像信号を６０ｆｐｓのフレームデータの上に重畳することで生成される（図１３（ｂ）参照）。この場合、第１映像信号の１フレーム（時間にして、１／１２ｓｅｃ）のフレームデータは、加工映像信号の５フレーム（時間にして５×１／６０ｓｅｃ＝１／１２ｓｅｃ）に重複配置される。生成された加工映像信号はビデオテープに記録される。
【０００６】
そして、そのビデオテープがフレームレート変換装置の再生装置に装填されて再生される。再生された加工映像信号に対して、フレームレート変換装置において、上述したのと同様の２−３プルダウン変換処理が実施される。ただし、加工映像信号においては、５フレーム分のフレームデータが重複配置されている。そのため、重複配置されているフレームデータのうちの有効と規定される単一のフレームデータだけが取り出されて、２−３プルダウン変換処理が実施される（図１３（ｃ）参照）。
【０００７】
このようなフレームレート変換処理が実施された第２映像信号においては、２−３プルダウン変換処理が実施されることで、第１映像信号における２フレーム分のフレームデータ格納期間（２×１／１２ｓｅｃ＝１／６ｓｅｃ）が、変換後には、５×（１／６０ｓｅｃ）＝１／１２ｓｅｃに圧縮される。したがって、変換後の映像信号を再生すれば、２倍のクイック再生となる。（例えば、特許文献１参照）
【０００８】
【特許文献１】
特開２０００−１５２５６９号（第５頁−第１０頁、図１）
【０００９】
【発明が解決しようとする課題】
従来の映像処理システムにおいては、フレームレート変換装置の出力を再生しなければ、最終的な時間映像効果を確認することができない。しかしながら、フレームレート変換装置は、持ち運びに不自由な大きさと重量とを有しており、撮影現場に簡単に持ち込むことができない。そのため、撮影により得られた映像データ（ビデオテープ）をフレームレート変換装置の設置場所に持ち込んだうえで、フレームレート変換装置で再生処理と変換処理とを実施することで時間映像効果を確認しなければならなかった。そのため、このことが撮影時間の短縮化（撮影の迅速化）を図るうえでの妨げとなっていた。
【００１０】
また、時間映像効果を得るためには、高価なフレームレート変換装置が必須となり、このことが撮影コストの低減を図るうえでの妨げとなっていた。
【００１１】
したがって、本発明の課題は、時間映像効果の迅速、かつ安価な獲得である。
【００１２】
【課題を解決するための手段】
上述した課題を解決するためには、本発明は、任意に設定可能な第１フレームレートを有する第１映像信号を生成する撮像器を備えたテレビジョンカメラであって、前記撮像器から出力される前記第１映像信号を一時記憶する記憶器と、前記記憶器に対する前記第１映像信号の書き込み制御を行う書き込み制御器と、前記記憶器に記憶している映像信号の読み出し制御を行う読み出し制御器とを備えている。
【００１３】
前記書き込み制御器は、前記第１映像信号を構成する第１フレームデータそれぞれを、前記第１フレームレートで規定される周期毎に前記記憶器に書き込むものである。
【００１４】
前記読み出し制御器は、前記記憶器が記憶している前記第１フレームデータを、第２映像信号として読み出すものである。
【００１５】
前記第２映像信号は、このテレビジョンカメラの出力規格フォーマットで規定される規格フレームレートを有する規格映像信号中に、前記第１フレームデータが所定の配置規則に基づいて一部重複された状態で順次配置されたものである。
【００１６】
前記所定の配置規則は、前記規格フレームレートと同一もしくはそれより低い第２フレームレート（規格フレームレート≧第２フレームレート）を有する映像信号のフレームデータを、映像上の実時間が互いに一致するように前記規格映像信号中に重複配置する際の配置規則である。
【００１７】
これにより、記憶器から出力される第２映像信号は、時間映像効果が付与されたものとなる。つまり、テレビジョンカメラ単体で時間映像効果を付与された映像信号を出力することが可能となる。しかも、テレビジョンカメラには、記憶器と、その読み書き制御を行う制御器とだけを追加すればよいので、テレビジョンカメラは、大型化（増重量化）や大幅なコストアップを招くことはない。
【００１８】
なお、前記撮像器が生成する前記第１映像信号は、時間的にアトランダムな間欠撮像によって生成された映像信号を含むものであるのが好ましい。そうすれば、特殊撮影の効果の幅をさらに広くすることができる。
【００１９】
なお、前記第２映像信号を記録する記録器を有するのが好ましく、そうすれば、特殊効果が付与された第２映像信号を撮影と同時に記憶することができ、撮影の利便性が向上する。
【００２０】
なお、前記記憶器から出力される第２映像信号を表示する表示器をさらに備えるのが好ましい。そうすれば、表示器を目視することで、第２映像信号に付与された時間映像効果を、撮影直後に確認することができる。
【００２１】
なお、前記第１映像信号をこのテレビジョンカメラの出力規格フォーマットで規定される規格フレームレートを有する規格映像信号に変換する変換器と、前記記憶器から出力される第２映像信号と、前記変換器から出力される規格映像信号とを切り換える切換器と、前記切換器の出力を表示する表示器とを備えるのが好ましい。
【００２２】
そうすれば、時間映像効果を付与された第２映像信号の画像と、時間映像効果を付与されていない実時間映像である第１映像信号の画像とを切換器で切り換えて表示器で表示させることが可能となる。これにより、実時間映像と時間映像効果が付与された映像とをテレビジョンカメラで比較することが可能となる。
【００２３】
【発明の実施の形態】
図１は、本発明の一実施形態のテレビジョンカメラの構成を示すブロック図である。このテレビジョンカメラ１は、６０ｆｐｓのプログレッシブ映像信号（以下、６０ｐ映像信号という）を出力規格フォーマットとするものであって、レンズ部２と、撮像器３と、信号処理回路４と、表示用フレームレート変換器（変換器の一例）５と、メモリ（記憶器の一例）６と、書き込み制御器７と、読み出し制御器８と、切換スイッチ（切換器の一例）９と、ビューファインダ装置（表示器の一例）１０と、ビデオテープ書き込み装置（記録器の一例）１１とを備える。
【００２４】
レンズ部２は図示しない撮影対象からの反射光を撮像器３に集光する。撮像器３は、ＣＣＤ装置等から構成されており、レンズ部２によって集光された撮影対象からの反射光を電気信号に変換する。その際、撮像器３は、任意に設定可能な第１フレームレートに沿って反射光を電気信号に変換する、もしくは、時間的にアトランダムな間欠撮像によって反射光を電気信号に変換することで、第１映像信号を生成して出力する。
【００２５】
信号処理回路４は、デジタルシグナルプロセッサ等から構成されており、撮像器３から出力される第１映像信号をデジタル信号に変換するとともに、表示用の各種信号処理を施す。
【００２６】
表示用フレームレート変換器５は、信号処理回路４から出力される第１映像信号をこのテレビジョンカメラ１の出力規格フォーマットで規定される規格フレームレート（６０ｆｐｓ）を有する規格映像信号（６０ｐ映像信号）に変換する。表示用フレームレート変換器５は、図示しない第１,第２,第３の記憶器を備えており、第１映像信号を構成するフレームデータをこれら記憶器に順次切り換えながら書き込んだうえで、順次切り換えながら読み出すことでフレームレート変換しており、これにより、表示用フレームレート変換器５は規格映像信号を生成する。
【００２７】
メモリ６は、信号処理回路４から出力される第１映像信号を構成する各フレームデータを取り出して記憶する。書き込み制御器７は、メモリ６に対する第１映像信号の書き込み制御を行う。読み出し制御器８は、メモリ６に対する映像信号の読み出し制御を行う。切換スイッチ９は、表示用フレームレート変換器５の出力とメモリ６の出力とを切り換えてビューファインダ装置１０に供給する。
【００２８】
ビューファインダ装置１０は、切換スイッチ９の出力を映像に変換して表示する。ビデオテープ書き込み装置１１は、メモリ６の出力をビデオテープＶＴに書き込む処理を行う。
【００２９】
以下、このテレビジョンカメラ１の動作を図２〜図１０のタイミングチャートを参照して説明する。以下の説明では、撮像器３の出力映像信号が第１映像信号と称される。第１映像信号を構成する各フレームデータは、第１フレームデータと称される。第１映像信号のフレームレートは、第１フレームレートＸｐと称される。このテレビジョンカメラ１の出力規格フォーマットで規定されるフレームレートを有する映像信号が規格映像信号と称される。規格映像信号のフレームレートは規格フレームレートＳｐと称される。規格映像信号中に、上述した第１フレームデータＸｐが所定の配置規則に基づいて一部重複された状態で順次配置されたものが第２映像信号と称される。本実施形態では、規格映像信号は６０ｐ映像信号と規定され、規格フレームレートＳｐは６０ｆｐｓと規定される。所定の配置規則とは、規格フレームレートＳｐと同一もしくはそれより低い第２フレームレートＹｐ（規格フレームレートＳｐ≧第２フレームレートＹｐ）を有する映像信号のフレームデータを、映像上の実時間が互いに一致するように規格映像信号中に重複配置する際の配置規則をいう。また、図２〜図１０において、符号Ｆｖは有効フレーム情報を示している。有効フレーム情報Ｆｖは、規格映像信号上において、重複配置されるフレームデータのうちの有効とするフレームデータを規定する情報である。有効フレーム情報Ｆｖは、表示用フレームレート変換器５やメモリ６からフレームデータを読み出す際に、適宜フレームデータに付される情報である。
【００３０】
以下の動作説明では、規格フレームレートＳｐを６０ｆｐｓとして、第２フレームレートＹｐを２４ｆｐｓと固定したうえで、第１フレームレートＸｐを任意に変更した場合を例にして本実施形態の動作を説明する。
【００３１】
図２〜図１０において、表示用フレームレート変換器５によるフレームレート変換処理が、図２,図４,図６,図８に示される。
【００３２】
図２,図４,図６,図８において、（ａ）は、撮像器３から出力される第１映像信号の信号形態を示す。（ｂ）は、表示用フレームレート変換器５を構成する第１〜第３の記憶器に供給される書き込みイネーブル信号Ｓ１の信号形態を示す。なお、第１〜第３の記憶器は、図１において図示はしないが、図２〜図９において、▲１▼,▲２▼,▲３▼と表記される。表示用フレームレート変換器５に対する第１映像信号の書き込みは、この書き込みイネーブル信号Ｓ１により制御される。（ｃ）は、表示用フレームレート変換器５を構成する第１〜第３の記憶器に供給される読み出し制御信号Ｓ２の信号形態である。表示用フレームレート変換器５の読み出しはこの読み出し制御信号Ｓ２により制御される。（ｄ）は、表示用フレームレート変換器５の出力映像信号の信号形態である。なお、表示用フレームレート変換器５の出力映像信号は規格映像信号となる。
【００３３】
また、これらの図において、メモリ６に対する書き込み,読み出し動作が、図３,図５,図７,図９,図１０に示される。
【００３４】
図３,図５,図７,図９,図１０において、（ａ）は、撮像器３から出力される第１映像信号の信号形態を示している。（ｂ）は、メモリ６において、各記憶エリアを指定する書き込み制御信号Ｓ３の信号形態を示している。なお、各記憶エリアは、図１において図示はしないが、図３,図５,図７,図９,図１０において、I,II,III,〜と表記される。メモリ６に対する第１映像信号の書き込みは、この書き込み制御信号Ｓ３により制御される。（ｃ）は、メモリ６の入出力状態を示す模式図である。（ｄ）は、メモリ６を構成する各記憶エリア（図中、I,II,IIIと表記されている）に供給される読み出し制御信号Ｓ４の信号形態である。メモリ６の読み出しはこの読み出し制御信号Ｓ４により制御される。（ｅ）は、メモリ６の出力映像信号の信号形態である。なお、メモリ６の出力映像信号は、第２映像信号となる。
【００３５】
（第１フレームレートＸｐ＝１２０ｆｐｓの場合）
この場合の表示用フレームレート変換器５の動作を、図２のタイミングチャートを参照して説明する。
【００３６】
まず、撮像器３は、第１フレームデータ（１２０ｆｐｓ）を有する第１映像信号を出力する（図２（ａ）参照）。第１映像信号は、設定された第１フレームレートＸｐ（１２０ｆｐｓ）に基づいて、１／１２０ｓｅｃ毎にフレームデータが更新される信号形態を有している。第１映像信号は、信号処理回路４において各種映像信号処理が施されたのち表示用フレームレート変換器５に入力される。
【００３７】
表示用フレームレート変換器５は、第１映像信号を構成する各第１フレームデータを、書き込みイネーブル信号Ｓ１（図２（ｂ）参照）に基づいて、表示用フレームレート変換器５の第１〜第３の記憶器に順次切り換えながら書き込む。さらに、表示用フレームレート変換器５は、記憶している各第１フレームデータを、読み出し制御信号Ｓ２（図２（ｃ）参照）に基づいて第１〜第３の記憶器から順次切り換えながら読み出すことで規格映像信号（図２（ｄ）参照）を生成して出力する。
【００３８】
この場合、書き込みイネーブル信号Ｓ１は、書き込み先の第１〜第３の記憶器を１／１２０ｓｅｃ毎に順次変更する信号形態を有している。そのため、第１映像信号を構成する各第１フレームデータは、１／１２０ｓｅｃ毎に記録先（第１〜第３の記憶器のうちの１つ）が順次更新されながら記録される。したがって、第１〜第３の記憶器それぞれにおいては、３×（１／１２０ｓｅｃ）＝１／４０ｓｅｃ毎に記憶内容が更新される。
【００３９】
読み出し制御信号Ｓ２は、読み出し先である表示用フレームレート変換器５の第１〜第３の記憶器を１／６０ｓｅｃ毎に順次変更する信号形態を有している。読み出し制御信号Ｓ２は、規格映像信号の規格フレームレートＳｐ（この場合は６０ｆｐｓ）に応じてその読み出し変更間隔が設定されている。そのため、第１〜第３の記憶器に記憶されている各第１フレームデータは、１／６０ｓｅｃ毎に読み出し先（具体的には、第１〜第３の記憶器）が順次変更されつつ読み出される。
【００４０】
さらには、第１映像信号の第１フレームレートＸｐが１２０ｆｐｓであるのに対して、規格映像信号の規格フレームレートＳｐは６０ｆｐｓとなっており、第１フレームデータは、規格フレームデータの２倍分のフレームデータ量を有している。そのため、第１映像信号（１２０ｆｐｓ）を規格映像信号（６０ｆｐｓ）に変換する際には、第１映像信号を半分に間引く必要がある。そこで、読み出し制御信号Ｓ２は、規格映像信号の各フレームデータ出力期間（１／６０ｓｅｃ）に対応して表示用フレームレート変換器５に記憶されている一対の第１フレームデータ（時間的に隣接している）のうち、一方を選択的に取り出し、他方を排除する（間引く）ようにその信号内容が構成されている。ただし、このようなフレームレートの間引き方法は、その一例であって、他の間引き方法であってもよい。
【００４１】
これにより、第１〜第３の記憶器から１／６０ｓｅｃ毎に第１フレームデータが適宜間引かれた状態で順次読み出されることで規格映像信号が生成される。生成される規格映像信号は、６０ｆｐｓのフレームレートを有する映像信号となる。
【００４２】
このとき、撮像器３から出力される第１映像信号におけるフレームデータ更新期間が１／１２０ｓｅｃであるのに対して、表示用フレームレート変換器５から出力される規格映像信号におけるフレームデータ更新期間は１／６０ｓｅｃとなる。しかしながら、規格映像信号生成時には、第１フレームデータのうちの半分が間引かれている。そのため、第１映像信号上の実時間（時間経過）と規格映像信号上の実時間（時間経過）とは一致することになる。しかも、規格映像信号生成時において、１／６０ｓｅｃごとに、第１フレームデータを規則的に１つ間引くことになる。そのため、規格映像信号中のおける映像の動きは自然なものとなる。
【００４３】
以上の規格映像信号生成動作は、撮像中においてリアルタイムに実施される。さらには、撮像中においては、切換スイッチ９の切換操作は、自動的に次のように設定される。すなわち、撮像中、切換スイッチ９は、表示用フレームレート変換器５の出力をビューファインダ装置１０に供給する。したがって、撮像により得られる第１映像信号は、リアルタイムに規格映像信号に変換されてビューファインダ装置１０で表示される。そのため、撮影者は、ビューファインダ装置１０を目視することで、規格映像信号を視認することができる。このとき、表示されている規格映像信号は、第１映像信号を実時間変更なしに変換した映像信号である。そのため、ビューファインダ装置１０で規格映像信号を視認することは、実質的に第１映像信号を視認しているのに等しくなる。
【００４４】
次に、この場合におけるメモリ６に対する読み書き動作を、図３のタイミングチャートを参照して説明する。
【００４５】
まず、図３（ａ）に示すように、撮像器３は、第１フレームデータ（１２０ｆｐｓ）を有する第１映像信号を出力する。第１映像信号は、信号処理回路４における各種映像信号処理を施されたのちメモリ６に書き込まれる。書き込みは、書き込み制御器７により制御される。
【００４６】
書き込み制御器７は、第１映像信号を構成する各第１フレームデータを、書き込み制御信号Ｓ３（図３（ｂ）参照）に基づいて、メモリ６の各記憶エリアに順次書き込む。なお、図３中において、メモリ６の各記憶エリアには、順次I,II,III,〜等の数字が付されている。
【００４７】
この場合、書き込み制御信号Ｓ３は、書き込み先となるメモリ６の記憶エリア（I,II,III,〜）を１／１２０ｓｅｃ毎に順次変更する信号形態を有している。そのため、第１映像信号を構成する各第１フレームデータは、１／１２０ｓｅｃ毎に記録先（記憶エリア）が順次変更されつつ記録される。
【００４８】
以上説明したメモリ６に対する第１映像信号の書き込み動作は、撮像時においてリアルタイムに実施される。次に、メモリ６からのデータ読み出し動作を説明する。メモリ６からのデータ読み出し動作は、撮像操作が終了した時点、もしくは終了したのち任意の時間が経過した時点において任意に実施される。
【００４９】
まず、第１映像信号を第２映像信号に変換する旨の指示入力がテレビジョンカメラ１に入力される。この指示入力はテレビジョンカメラ１の操作者により実施される。指示入力は、テレビジョンカメラ１が有する入力装置（図示省略）を介して実施される。
【００５０】
上記指示入力を検知すると、読み出し制御器８は、読み出し制御信号Ｓ４をメモリ６に出力する。読み出し制御信号Ｓ４は、読み出し先であるメモリ６の各記憶エリアI,II,III,〜を１／６０ｓｅｃ毎に順次変更して指示する信号形態を有している。しかも、読み出し制御信号Ｓ４は、以下に示す配置規則（読み出し規則）に基づいて各記憶エリアからフレームデータを読み出している。
【００５１】
すなわち、この配置規則は、第２フレームレートＹｐ（本実施形態では、２４ｆｐｓ）を有する映像信号のフレームデータを、映像上の実時間が互いに一致するように規格映像信号（本実施形態では、６０ｆｐｓのフレームレートを有する６０ｐ映像信号）中に重複配置する際の配置規則をいう。
【００５２】
第２フレームレートＹｐが２４ｆｐｓであり、規格フレームレートＳｐが６０ｆｐｓである本実施形態では、配置規則は具体的に次のようになる。すなわち、２４ｆｐｓにおける１フレーム分のフレームデータが６０ｆｐｓの２フレーム分のフレームデータとして重複配置されるデータ領域と前記１フレーム分のフレームデータが３フレーム分のフレームデータとして重複配置されるデータ領域とを一組とするデータ領域組が繰り返し配列されることに特徴を有するデータ配列が、本実施形態では上記配置規則となる。以下、このような配置規則を２−３プルダウン配置規則という。
【００５３】
このような本発明の配置規則を実施するためには、第２フレームレートＹｐは、規格フレームレートＳｐより低い（Ｙｐ≦Ｓｐ）ことが条件となる。
【００５４】
２−３プルダウン配置規則を有する読み出し制御信号に基づいて、メモリ６の各記憶領域I,II,III,〜に記憶されている各フレームデータが、１／６０ｓｅｃ毎に順次変更されつつ読み出される。
【００５５】
このようにしてメモリ６から読み出されることで生成される第２映像信号は、６０ｆｐｓのフレームレートを有する映像信号となる。
【００５６】
このとき、第１映像信号におけるフレームデータ更新期間は、１／１２０ｓｅｃであるのに対して、第２映像信号におけるフレームデータ更新期間は１／６０ｓｅｃとなる。しかしながら、上記配置規則に基づいて第２映像信号のフレームデータが配置されるため、第１映像信号における２フレームデータ分の配置期間（２×（１／１２０）ｓｅｃ＝１／６０ｓｅｃ）は、第２映像信号における５フレームの配置期間（５×（１／６０）ｓｅｃ＝１／１２ｓｅｃ）となる。
【００５７】
これにより、第１映像信号上の実時間（時間経過）は、第２映像信号上において５倍に引き伸ばされることになる。そのため、第２映像信号を再生すれば、実時間を５倍に引き伸ばしたスロー再生となる。
【００５８】
以上の第２映像信号生成動作は、撮像後の任意の時点で実施される。さらには、第２映像信号生成動作中においては、切換スイッチ９の切換操作は、自動的に次のように設定される。すなわち、第２映像信号の生成中、切換スイッチ９は、メモリ６の出力をビューファインダ装置１０に供給する。したがって、生成された第２映像信号はビューファインダ装置１０で表示される。そのため、撮影者は、ビューファインダ装置１０を目視することで、第２映像信号を視認することができる。
【００５９】
このとき、表示されている第２映像信号は、第１映像信号上の実時間を５倍に伸張した映像信号となる。そのため、ビューファインダ装置１０で第２映像信号を視認することは、第１映像信号を５倍伸張したスロー再生を視認しているのに等しくなる。
【００６０】
操作者は、第２映像信号を目視してその時間映像効果を確認し、想像していた時間映像効果が得られていると判断すると、テレビジョンカメラ１に記録指示操作を入力する。記録指示入力は、テレビジョンカメラ１が有する図示しない入力装置を介して実施される。記録指示入力を検知したビデオテープ書き込み装置１１は、メモリ６のデータ読み出し指令を読み出し制御器８に出力する。データ読み出し指令を受けた読み出し制御器８は、上述したフレームデータ読み出し制御と同一のフレームデータ読み出し制御を実施する。これにより、メモリ６から第２映像信号が読み出されてビデオテープ書き込み装置１１に出力される。ビデオテープ書き込み装置１１は、メモリ６から供給される第２映像信号をビデオテープＶＴに記憶する。
【００６１】
（第１フレームレートＸｐ＝６０ｆｐｓの場合）
この場合の表示用フレームレート変換器５の動作を、図４のタイミングチャートを参照して説明する。
【００６２】
まず、撮像器３は、第１フレームデータ（６０ｆｐｓ）を有する第１映像信号を出力する（図４（ａ）参照）。第１映像信号は、設定された第１フレームレートＸｐ（６０ｆｐｓ）に基づいて、１／６０ｓｅｃ毎にフレームデータが更新される信号形態を有している。第１映像信号は、信号処理回路４において各種映像信号処理が施されたのち表示用フレームレート変換器５に入力される。
【００６３】
表示用フレームレート変換器５は、第１映像信号を構成する各第１フレームデータを、書き込みイネーブル信号Ｓ１（図４（ｂ）参照）に基づいて、表示用フレームレート変換器５の第１〜第３の記憶器に順次書き込む。さらに、表示用フレームレート変換器５は、記憶している各フレームデータを、読み出し制御信号Ｓ２（図４（ｃ）参照）に基づいて第１〜第３の記憶器から読み出すことで規格映像信号（図４（ｄ）参照）を生成して出力する。
【００６４】
この場合、書き込みイネーブル信号Ｓ１は、書き込み先の第１〜第３の記憶器を１／６０ｓｅｃ毎に順次変更する信号形態を有している。そのため、第１映像信号を構成する各第１フレームデータは、１／６０ｓｅｃ毎に記録先（第１〜第３の記憶器のうちの１つ）が順次更新されながら記録される。したがって、第１〜第３の記憶器それぞれにおいては、３×（１／６０ｓｅｃ）＝１／２０ｓｅｃ毎に記憶内容が更新される。
【００６５】
読み出し制御信号Ｓ２は、読み出し先である表示用フレームレート変換器５の第１〜第３の記憶器を１／６０ｓｅｃ毎に順次変更する信号形態を有している。読み出し制御信号Ｓ２は、規格映像信号の規格フレームレートＳｐ（この場合は６０ｆｐｓ）に応じてその読み出し変更間隔が設定されている。そのため、第１〜第３の記憶器に記憶されている各フレームデータは、１／６０ｓｅｃ毎に読み出し先（具体的には、第１〜第３の記憶器）が順次変更されつつ読み出される。これにより、第１〜第３の記憶器から１／６０ｓｅｃ毎にフレームデータが順次読み出されることで生成される規格映像信号は、６０ｆｐｓの規格フレームレートＳｐを有する規格映像信号となる。
【００６６】
このとき、撮像器３から出力される第１映像信号における第１フレームデータの更新期間が１／６０ｓｅｃであるのに対して、表示用フレームレート変換器５から出力される規格映像信号における規格フレームデータの更新期間は１／６０ｓｅｃとなる。そのため、第１映像信号上の実時間（時間経過）と規格映像信号上の実時間（時間経過）とは一致することになる。
【００６７】
以上の規格映像信号生成動作は、撮像中においてリアルタイムに実施される。さらには、撮像中においては、切換スイッチ９の切換操作は、自動的に次のように設定される。すなわち、撮像中、切換スイッチ９は、表示用フレームレート変換器５の出力をビューファインダ装置１０に供給する。したがって、撮像により得られる第１映像信号は、リアルタイムに規格映像信号に変換されてビューファインダ装置１０で表示される。そのため、撮影者は、ビューファインダ装置１０を目視することで、規格映像信号を視認することができる。このとき、表示されている規格映像信号は、第１映像信号を実時間変更なしに変換した映像信号である。そのため、ビューファインダ装置１０で規格映像信号を視認することは、実質的に第１映像信号を視認しているのに等しくなる。
【００６８】
次に、この場合におけるメモリ６に対する読み書き動作を、図５のタイミングチャートを参照して説明する。
【００６９】
まず、図５（ａ）に示すように、撮像器３は、第１フレームデータ（６０ｆｐｓ）を有する第１映像信号を出力する。第１映像信号は、信号処理回路４において各種映像信号処理を施されたのちメモリ６に書き込まれる。書き込みは、書き込み制御器７により制御される。
【００７０】
書き込み制御器７は、第１映像信号を構成する各フレームデータを、書き込み制御信号Ｓ３（図５（ｂ）参照）に基づいて、メモリ６の各記憶エリアに順次書き込む。なお、図３中において、メモリ６の各記憶エリアには、順次I,II,III,〜等の数字が付されている。
【００７１】
この場合、書き込み制御信号Ｓ３は、書き込み先となるメモリ６の記憶エリア（I,II,III,〜）を１／６０ｓｅｃ毎に順次変更する信号形態を有している。そのため、第１映像信号を構成する各第１フレームデータは、１／６０ｓｅｃ毎に記録先（記憶エリア）が順次変更されつつ記録される。
【００７２】
以上説明したメモリ６に対する第１映像信号の書き込み動作は、撮像時においてリアルタイムに実施される。次に、メモリ６からのデータ読み出し動作を説明する。メモリ６からのデータ読み出し動作は、撮像操作が終了した時点、もしくは終了したのち任意の時間が経過した時点において任意に実施される。
【００７３】
まず、第１映像信号を第２映像信号に変換する旨の指示入力が、テレビジョンカメラ１に入力される。この指示入力はテレビジョンカメラ１の操作者により実施される。指示入力は、テレビジョンカメラ１が有する入力装置（図示省略）を介して実施される。
【００７４】
上記指示入力を検知すると、読み出し制御器８は、読み出し制御信号Ｓ４をメモリ６に出力する。読み出し制御信号Ｓ４は、読み出し先であるメモリ６の各記憶エリアI,II,III,〜を１／６０ｓｅｃ毎に順次変更して指示する信号形態を有している。しかも、読み出し制御信号Ｓ４は、以下に示す配置規則（読み出し規則）に基づいて各記憶エリアからフレームデータを読み出す指示内容を有している。
【００７５】
すなわち、この配置規則は、第２フレームレートＹｐ（本実施形態では、２４ｆｐｓ）を有する映像信号のフレームデータを、映像上の実時間が互いに一致するように規格映像信号（本実施形態では、６０ｆｐｓのフレームレートを有する６０ｐ映像信号）中に重複配置する際の配置規則をいう。
【００７６】
第２フレームレートＹｐが２４ｆｐｓであり、規格フレームレートＳｐが６０ｆｐｓである本実施形態では、配置規則は具体的に、上述した２−３プルダウン配置規則となる。
【００７７】
このような本発明の配置規則を実施するためには、第２フレームレートＹｐは、規格フレームレートＳｐより低い（Ｙｐ≦Ｓｐ）ことが条件となる。
【００７８】
このような配置規則を有する読み出し制御信号Ｓ４に基づいて、メモリ６の各記憶領域I,II,III,〜に記憶されている各フレームデータが、１／６０ｓｅｃ毎に順次リア）が順次変更されつつ読み出される。
【００７９】
このようにしてメモリ６から読み出されることで生成される第２映像信号は、６０ｆｐｓのフレームレートを有する映像信号となる。
【００８０】
このとき、第１映像信号におけるフレームデータ更新期間は、１／６０ｓｅｃであるのに対して、第２映像信号におけるフレームデータ更新期間は１／６０ｓｅｃとなる。しかしながら、上記配置規則に基づいて第２映像信号のフレームデータが配置されるため、第１映像信号における２フレームデータ分の配置期間（２×（１／６０）ｓｅｃ＝１／３０ｓｅｃ）は、第２映像信号における５フレームの配置期間（５×（１／６０）ｓｅｃ＝１／１２ｓｅｃ）となる。
【００８１】
これにより、第１映像信号上の実時間（時間経過）は、第２映像信号上において、２．５倍に引き伸ばされることになる。そのため、第２映像信号を再生すれば、実時間を２．５倍に引き伸ばしたスロー再生となる。
【００８２】
以上の第２映像信号生成動作は、撮像後の任意の時点で実施される。さらには、第２映像信号生成動作中においては、切換スイッチ９の切換操作は、自動的に次のように設定される。すなわち、第２映像信号の生成中、切換スイッチ９は、メモリ６の出力をビューファインダ装置１０に供給する。したがって、生成された第２映像信号はビューファインダ装置１０で表示される。そのため、撮影者は、ビューファインダ装置１０を目視することで、第２映像信号を視認することができる。このとき、表示されている第２映像信号は、第１映像信号の上の実時間を２．５倍に伸張した映像信号となる。そのため、ビューファインダ装置１０で第２映像信号を視認することは、第１映像信号を２．５倍伸張したスロー再生を視認しているのに等しくなる。
【００８３】
操作者は、第２映像信号を目視してその時間映像効果を確認し、想像していた時間映像効果が得られていると判断すると、テレビジョンカメラ１に記録指示操作を入力する。記録指示入力は、テレビジョンカメラ１が有する図示しない入力装置に対して実施される。記録指示入力を検知したビデオテープ書き込み装置１１は、メモリ６のデータ読み出し指令を読み出し制御器８に出力する。データ読み出し指令を受けた読み出し制御器８は、上述した読み出し制御と同一の読み出し制御を実施することで、メモリ６から第２映像信号を読み出してビデオテープ書き込み装置１１に出力する。ビデオテープ書き込み装置１１は、メモリ６から供給される第２映像信号をビデオテープＶＴに記憶する。
【００８４】
（第１フレームレートＸｐ＝２４ｆｐｓの場合）
この場合の表示用フレームレート変換器５の動作を、図６のタイミングチャートを参照して説明する。
【００８５】
まず、撮像器３は、第１フレームデータ（２４ｆｐｓ）を有する第１映像信号を出力する（図６（ａ）参照）。第１映像信号は、設定された第１フレームレートＸｐ（２４ｆｐｓ）に基づいて、１／２４ｓｅｃ毎にフレームデータが更新される信号形態を有している。第１映像信号は、信号処理回路４において各種映像信号処理が施されたのち表示用フレームレート変換器５に入力される。
【００８６】
表示用フレームレート変換器５は、第１映像信号を構成する各フレームデータを、書き込みイネーブル信号Ｓ１（図６（ｂ）参照）に基づいて、表示用フレームレート変換器５の第１〜第３の記憶器に順次書き込む。さらに、表示用フレームレート変換器５は、記憶している各フレームデータを、読み出し制御信号Ｓ２（図６（ｃ）参照）に基づいて第１〜第３の記憶器から読み出すことで規格映像信号（図６（ｄ）参照）を生成して出力する。
【００８７】
この場合、書き込みイネーブル信号Ｓ１は、書き込み先の第１〜第３の記憶器を１／２４ｓｅｃ毎に順次変更する信号形態を有している。そのため、第１映像信号を構成する各第１フレームデータは、１／２４ｓｅｃ毎に記録先（第１〜第３の記憶器のうちの１つ）が順次更新されながら記録される。したがって、第１〜第３の記憶器それぞれにおいては、３×（１／２４ｓｅｃ）＝１／８ｓｅｃ毎に記憶内容が更新される。
【００８８】
読み出し制御信号Ｓ２は、読み出し先である表示用フレームレート変換器５の第１〜第３の記憶器を１／６０ｓｅｃ毎に順次変更する信号形態を有している。読み出し制御信号Ｓ２は、規格映像信号の規格フレームレートＳｐ（この場合は６０ｆｐｓ）に応じてその読み出し変更間隔が設定されている。そのため、第１〜第３の記憶器に記憶されている各フレームデータは、１／６０ｓｅｃ毎に読み出し先（具体的には、第１〜第３の記憶器）が順次変更されつつ読み出される。
【００８９】
さらには、第１映像信号の第１フレームレートＸｐが２４ｆｐｓであるのに対して、規格映像信号の規格フレームレートＳｐは６０ｆｐｓとなっており、第１映像信号の規格フレームデータは、規格映像信号の規格フレームデータの１／２．５倍分のデータ量しか有していない。そのため、第１映像信号（２４ｆｐｓ）を規格映像信号（６０ｆｐｓ）に変換する際には、第１映像信号の第１フレームデータを２．５倍に割り増す必要がある。そこで、読み出し制御信号Ｓ２は、上述した２−３プルダウン配置規則に則って、第１〜第３の記憶器から第１の映像信号の各第１フレームデータを読み出す。
【００９０】
これにより、第１〜第３の記憶器から１／６０ｓｅｃ毎に第１フレームデータが順次読み出されることで生成される規格映像信号は、６０ｆｐｓのフレームレートを有する規格映像信号となる。
【００９１】
このとき、撮像器３から出力される第１映像信号における第１フレームデータの更新期間が１／２４ｓｅｃであるのに対して、表示用フレームレート変換器５から出力される規格映像信号における規格フレームデータの更新期間は１／６０ｓｅｃとなる。しかしながら、規格映像信号生成時には、第１映像信号のフレームデータを２．５倍に割り増している。そのため、第１映像信号上の実時間（時間経過）と規格映像信号上の実時間（時間経過）とは一致することになる。しかも、規格映像信号生成時において、２−３プルダウン配置規則という一定の配置規則に基づいて第１映像信号を規格映像信号に変換している。そのため、規格映像信号中のおける映像の動きは自然なものとなる。
【００９２】
以上の規格映像信号生成動作は、撮像中においてリアルタイムに実施される。さらには、撮像中においては、切換スイッチ９の切換操作は、自動的に次のように設定される。すなわち、撮像中、切換スイッチ９は、表示用フレームレート変換器５の出力をビューファインダ装置１０に供給する。したがって、撮像により得られる第１映像信号は、リアルタイムに規格映像信号に変換されてビューファインダ装置１０で表示される。そのため、撮影者は、ビューファインダ装置１０を目視することで規格映像信号を視認することができる。このとき、表示されている規格映像信号は、第１映像信号を実時間変更なしに変換した映像信号である。そのため、ビューファインダ装置１０で規格映像信号を視認することは、実質的に第１映像信号を視認しているのに等しくなる。
【００９３】
次に、この場合におけるメモリ６に対する書き込み動作,および読み出し動作を、図７のタイミングチャートを参照して説明する。
【００９４】
まず、図７（ａ）に示すように、撮像器３は、第１フレームデータ（２４ｆｐｓ）を有する第１映像信号を出力する。第１映像信号は、信号処理回路４において各種映像信号処理が施されたのちメモリ６に書き込まれる。書き込みは、書き込み制御器７により制御される。
【００９５】
書き込み制御器７は、第１映像信号を構成する各第１フレームデータを、書き込み制御信号Ｓ３（図７（ｂ）参照）に基づいて、メモリ６の各記憶エリアに順次書き込む。なお、図７中において、メモリ６の各記憶エリアには、順次I,II,III,〜等の数字が付されている。
【００９６】
この場合、書き込み制御信号Ｓ３は、書き込み先となるメモリ６の記憶エリア（I,II,III,〜）を１／２４ｓｅｃ毎に順次変更する信号形態を有している。そのため、第１映像信号を構成する各第１フレームデータは、１／２４ｓｅｃ毎に記録先（記憶エリア）が順次変更されつつ記録される。
【００９７】
以上説明したメモリ６に対する第１映像信号の書き込み動作は、撮像時においてリアルタイムに実施される。次に、メモリ６からのデータ読み出し動作を説明する。メモリ６からのデータ読み出し動作は、撮像操作が終了した時点、もしくは終了したのち任意の時間が経過した時点において任意に実施される。
【００９８】
まず、第１映像信号を第２映像信号に変換する旨の指示入力がテレビジョンカメラ１に入力される。この指示入力はテレビジョンカメラ１の操作者により実施される。指示入力は、テレビジョンカメラ１が有する入力装置（図示省略）を介して実施される。
【００９９】
読み出し制御器８は、上記指示入力を検知すると読み出し制御信号Ｓ４をメモリ６に出力する。読み出し制御信号Ｓ３は、読み出し先であるメモリ６の各記憶エリアI,II,III,〜を１／６０ｓｅｃ毎に順次変更して指示する信号形態を有している。しかも、読み出し制御信号Ｓ４は、以下に示す配置規則（読み出し規則）に基づいて各記憶エリアからフレームデータを読み出している。
【０１００】
すなわち、この配置規則は、第２フレームレートＹｐ（本実施形態では、２４ｆｐｓ）を有する映像信号のフレームデータを、映像上の実時間が互いに一致するように規格映像信号（本実施形態では、６０ｆｐｓのフレームレートを有する６０ｐ映像信号）中に重複配置する際の配置規則をいう。
【０１０１】
第２フレームレートＹｐが２４ｆｐｓであり、規格フレームレートＳｐが６０ｆｐｓである本実施形態では、配置規則は上述した２−３プルダウン配置規則となる。
【０１０２】
このような配置規則を有する読み出し制御信号Ｓ４に基づいて、メモリ６の各記憶領域I,II,III,〜に記憶されている各フレームデータが、１／６０ｓｅｃ毎に順次変更されつつ読み出される。
【０１０３】
このようにしてメモリ６から読み出されることで生成される第２映像信号は、６０ｆｐｓのフレームレートを有する映像信号となる。
【０１０４】
このとき、第１映像信号におけるフレームデータ更新期間は、１／２４ｓｅｃであるのに対して、第２映像信号におけるフレームデータ更新期間は１／６０ｓｅｃとなる。しかしながら、上記配置規則に基づいて第２映像信号のフレームデータが配置されるため、第１映像信号におけるの２フレームデータ分の配置期間（２×（１／２４）ｓｅｃ＝１／１２ｓｅｃ）は、第２映像信号における５フレームの配置期間（５×（１／６０）ｓｅｃ＝１／１２ｓｅｃ）となる。
【０１０５】
これにより、第１映像信号上の実時間（時間経過）は、第２映像信号上において同一となる。そのため、第２映像信号を再生すれば、実時間通りの再生となる。
【０１０６】
以上の第２映像信号生成動作は、撮像後の任意の時点で実施される。さらには、第２映像信号生成動作中においては、切換スイッチ９の切換操作は、自動的に次のように設定される。すなわち、第２映像信号の生成中、切換スイッチ９は、メモリ６の出力をビューファインダ装置１０に供給する。したがって、生成された第２映像信号はビューファインダ装置１０で表示される。そのため、撮影者は、ビューファインダ装置１０を目視することで、第２映像信号を視認することができる。このとき、表示されている第２映像信号は、第１映像信号の上の実時間と同一となる。そのため、ビューファインダ装置１０で第２映像信号を視認することは、第１映像信号を実時間通り再生した映像を視認していることになる。つまり、この場合においては、何等時間映像効果が発揮されていない無加工映像となる。
【０１０７】
操作者は、第２映像信号を目視してその時間映像効果を確認し、想像していた時間映像効果が得られている（つまり、無加工映像でよい）と判断すると、テレビジョンカメラ１に記録指示操作を入力する。記録指示入力は、テレビジョンカメラ１の図示しない入力装置に対して実施される。記録指示入力を検知したビデオテープ書き込み装置１１は、メモリ６のデータ読み出し指令を読み出し制御器８に出力する。データ読み出し指令を受けた読み出し制御器８は、上述した読み出し制御と同一の読み出し制御を実施することで、メモリ６から第２映像信号を読み出してビデオテープ書き込み装置１１に出力する。ビデオテープ書き込み装置１１は、メモリ６から供給される第２映像信号をビデオテープＶＴに記憶する。
【０１０８】
（第１フレームレートＸｐ＝１２ｆｐｓの場合）
この場合の表示用フレームレート変換器５の動作を、図８のタイミングチャートを参照して説明する。
【０１０９】
まず、撮像器３は、第１フレームデータＸｐ（１２ｆｐｓ）を有する第１映像信号を出力する（図８（ａ）参照）。第１映像信号は、設定された第１フレームレートＸｐ（１２ｆｐｓ）に基づいて、１／１２ｓｅｃ毎にフレームデータが更新される信号形態を有している。第１映像信号は、信号処理回路４において各種映像信号処理が施されたのち表示用フレームレート変換器５に入力される。
【０１１０】
表示用フレームレート変換器５は、第１映像信号を構成する各フレームデータを、書き込みイネーブル信号Ｓ１（図８（ｂ）参照）に基づいて、表示用フレームレート変換器５の第１〜第３の記憶器に順次書き込む。さらに、表示用フレームレート変換器５は、記憶している各第１フレームデータを、読み出し制御信号Ｓ２（図８（ｃ）参照）に基づいて第１〜第３の記憶器から読み出すことで規格映像信号（図８（ｄ）参照）を生成して出力する。
【０１１１】
この場合、書き込みイネーブル信号Ｓ１は、書き込み先の第１〜第３の記憶器を１／１２ｓｅｃ毎に順次変更する信号形態を有している。そのため、第１映像信号を構成する各第１フレームデータは、１／１２ｓｅｃ毎に記録先（第１〜第３の記憶器のうちの１つ）が順次更新されながら記録される。したがって、第１〜第３の記憶器それぞれにおいては、３×（１／１２ｓｅｃ）＝１／４ｓｅｃ毎に記憶内容が更新される。
【０１１２】
読み出し制御信号Ｓ２は、読み出し先である表示用フレームレート変換器５の第１〜第３の記憶器を１／６０ｓｅｃ毎に順次変更する信号形態を有している。読み出し制御信号Ｓ２は、規格映像信号の規格フレームレートＳｐ（この場合は６０ｆｐｓ）に応じてその読み出し変更間隔が設定されている。そのため、第１〜第３の記憶器に記憶されている各第１フレームデータは、１／６０ｓｅｃ毎に読み出し先（具体的には、第１〜第３の記憶器）が順次変更されつつ読み出される。
【０１１３】
さらには、第１映像信号の第１フレームレートＸｐが１２ｆｐｓであるのに対して、規格映像信号の規格フレームレートＳｐは６０ｆｐｓとなっており、第１映像信号の第１フレームデータは規格映像信号の規格フレームデータの１／５倍分のデータ量しか有していない。そのため、第１映像信号（１２ｆｐｓ）を規格映像信号（６０ｆｐｓ）に変換する際には、第１映像信号の第１フレームデータを５倍に割り増す必要がある。そこで、読み出し制御信号Ｓ２は、規格映像信号の各規格フレームデータ出力期間（１／６０ｓｅｃ）に対応して表示用フレームレート変換器５に記憶されている第１フレームデータを５回反復して取り出すようにその信号内容が構成されている。
【０１１４】
これにより、第１〜第３の記憶器から１／６０ｓｅｃ毎に第１フレームデータが順次読み出されることで生成される映像信号は、６０ｆｐｓの規格フレームレートＳｐを有する規格映像信号となる。
【０１１５】
このとき、撮像器３から出力される第１映像信号におけるフレームデータ更新期間が１／１２ｓｅｃであるのに対して、表示用フレームレート変換器５から出力される規格映像信号におけるフレームデータ更新期間は１／６０ｓｅｃとなる。しかしながら、規格映像信号生成時には、第１映像信号の第１フレームデータを５倍に割り増している。そのため、第１映像信号上の実時間（時間経過）と規格映像信号上の実時間（時間経過）とは一致することになる。しかも、規格映像信号生成時において、１／６０ｓｅｃごとに、第１映像信号の第１フレームデータを規則的に５回反復して割り増している。そのため、規格映像信号中における映像の動きは比較的自然なものとなる。
【０１１６】
以上の規格映像信号生成動作は、撮像中においてリアルタイムに実施される。さらには、撮像中においては、切換スイッチ９の切換操作は、自動的に次のように設定される。すなわち、撮像中、切換スイッチ９は、表示用フレームレート変換器５の出力をビューファインダ装置１０に供給する。したがって、撮像により得られる第１映像信号は、リアルタイムに規格映像信号に変換されてビューファインダ装置１０で表示される。そのため、撮影者は、ビューファインダ装置１０を目視することで、リアルタイムに規格映像信号を視認することができる。このとき表示されている規格映像信号は、第１映像信号を実時間変更なしに変換した映像信号である。そのため、ビューファインダ装置１０で規格映像信号を視認することは、実質的に第１映像信号を視認しているのに等しくなる。
【０１１７】
次に、この場合におけるメモリ６に対する読み書き動作を、図９のタイミングチャートを参照して説明する。
【０１１８】
まず、図９（ａ）に示すように、撮像器３は、第１フレームレートＸｐ（１２ｆｐｓ）を有する第１映像信号を出力する。第１映像信号は、信号処理回路４において各種映像信号処理が施されたのちメモリ６に書き込まれる。書き込みは、書き込み制御器７により制御される。
【０１１９】
書き込み制御器７は、第１映像信号を構成する各第１フレームデータを、書き込み制御信号Ｓ３（図９（ｂ）参照）に基づいて、メモリ６の各記憶エリアに順次書き込む。なお、図９中において、メモリ６の各記憶エリアには、順次I,II,III,〜等の数字が付されている。
【０１２０】
この場合、書き込み制御信号Ｓ３は、書き込み先となるメモリ６の記憶エリア（I,II,III,〜）を１／１２ｓｅｃ毎に順次変更する信号形態を有している。そのため、第１映像信号を構成する各第１フレームデータは、１／１２ｓｅｃ毎に記録先（記憶エリア）が順次変更されつつ記録される。
【０１２１】
以上説明したメモリ６に対する第１映像信号の書き込み動作は、撮像時においてリアルタイムに実施される。次に、メモリ６からのデータ読み出し動作を説明する。メモリ６からのデータ読み出し動作は、撮像操作が終了した時点、もしくは終了したのち任意の時間が経過した時点において任意に実施される。
【０１２２】
まず、第１映像信号を第２映像信号に変換する旨の指示入力が、テレビジョンカメラ１に入力される。この指示入力はテレビジョンカメラ１の操作者により実施される。指示入力は、テレビジョンカメラ１が有する入力装置（図示省略）を介して実施される。
【０１２３】
読み出し制御器８は、上記指示入力を検知すると、読み出し制御信号Ｓ４をメモリ６に出力する。読み出し制御信号Ｓ４は、読み出し先であるメモリ６の各記憶エリアI,II,III,〜を１／６０ｓｅｃ毎に順次変更して指示する信号形態を有している。しかも、読み出し制御信号Ｓ４は、以下に示す配置規則（読み出し規則）に基づいて各記憶エリアからフレームデータを読み出している。
【０１２４】
すなわち、この配置規則は、第２フレームレートＹｐ（本実施形態では、２４ｆｐｓ）を有する映像信号（２４ｐ映像信号）のフレームデータを、映像上の実時間が互いに一致するように規格映像信号（本実施形態では、６０ｆｐｓのフレームレートを有する６０ｐ映像信号）中に重複配置する際の配置規則をいう。
【０１２５】
第２フレームレートＹｐが２４ｆｐｓであり、規格フレームレートＳｐが６０ｆｐｓである本実施形態では、配置規則は上述した２−３プルダウン配置規則となる。
【０１２６】
このような本発明の配置規則を実施するためには、第２フレームレートＹｐは、規格フレームレートＳｐより低い（Ｙｐ≦Ｓｐ）ことが条件となる。
【０１２７】
２−３プルダウン配置規則に準じた読み出し制御信号Ｓ４に基づいて、メモリ６の各記憶領域I,II,III,〜に記憶されている各フレームデータが、１／６０ｓｅｃ毎に順次リア）が順次変更されつつ読み出される。
【０１２８】
このようにしてメモリ６から読み出されることで生成される第２映像信号は、６０ｆｐｓのフレームレートを有する映像信号となる。
【０１２９】
このとき、第１映像信号におけるフレームデータ更新期間は、１／１２ｓｅｃであるのに対して、第２映像信号におけるフレームデータ更新期間は１／６０ｓｅｃとなる。しかしながら、上記配置規則に基づいて第２映像信号のフレームデータが配置されるため、第１映像信号におけるの２フレームデータの配置期間（２×（１／１２）ｓｅｃ＝１／６ｓｅｃ）は、第２映像信号における５フレームの配置期間（５×（１／６０）ｓｅｃ＝１／１２ｓｅｃ）となる。
【０１３０】
これにより、第１映像信号上の実時間（時間経過）は、第２映像信号上において、０．５倍に縮められたことになる。そのため、第２映像信号を再生すれば、実時間を０．５倍に縮めたクイック再生となる。
【０１３１】
以上の第２映像信号生成動作は、撮像後の任意の時点で実施される。さらには、第２映像信号生成動作中においては、切換スイッチ９の切換操作は、自動的に次のように設定される。すなわち、第２映像信号の生成中、切換スイッチ９は、メモリ６の出力をビューファインダ装置１０に供給する。したがって、生成された第２映像信号はビューファインダ装置１０で表示される。そのため、撮影者は、ビューファインダ装置１０を目視することで、第２映像信号を視認することができる。このとき、表示されている第２映像信号は、第１映像信号の上の実時間を０．５倍に縮めた映像信号となる。そのため、ビューファインダ装置１０で第２映像信号を視認することは、第１映像信号を５倍伸張したクイック再生を視認しているのに等しくなる。
【０１３２】
操作者は、第２映像信号を目視してその時間映像効果を確認し、想像していた時間映像効果が得られていると判断すると、テレビジョンカメラ１に記録指示操作を入力する。記録指示入力は、テレビジョンカメラ１が有する図示しない入力装置に対して実施される。記録指示入力を検知したビデオテープ書き込み装置１１は、メモリ６のデータ読み出し指令を読み出し制御器８に出力する。データ読み出し指令を受けた読み出し制御器８は、上述した読み出し制御と同一の読み出し制御を実施することで、メモリ６から第２映像信号を読み出してビデオテープ書き込み装置１１に出力する。ビデオテープ書き込み装置１１は、メモリ６から供給される第２映像信号をビデオテープＶＴに記憶する。
【０１３３】
（間欠撮像の場合）
この場合であっても、撮像器３は第１映像信号を撮像してその第１映像信号を構成するフレームデータの全てを撮像器３から出力する。書き込み制御器７は、撮像器３で撮像された第１映像信号を構成する全フレームデータの中から、任意の時間間隔を開けて位置するフレームデータを選択的に取り出してメモリ６に書き込む。これにより、第１映像信号のフレームデータは間欠的にメモリ６に書き込まれる。メモリ６に書き込まれるフレームデータの選択は例えば次のように実施される。フレームデータを取り込む時間間隔が予め設定されたうえで、設定された時間間隔毎にフレームデータが自動的にメモリ６に書き込まれる。また、テレビジョンカメラ１の操作部に取り込みボタン（図示省略）を設けたうえで、操作者がこの取り込みボタンを押圧操作した時点のフレームデータがメモリ６に書き込まれる。
【０１３４】
なお、撮像器３で撮像された第１映像信号は、規格映像信号に変換されてビューファインダ装置１０で表示される。操作者はビューファインダ装置１０で表示される規格映像信号を目視することで撮影中の映像を動的に確認するとともに、撮像器３から出力されるフレームデータの概要を確認することができる。
【０１３５】
この場合におけるメモリ６に対する書き込み動作,読み出し動作を図１０のタイミングチャートを参照して説明する。
【０１３６】
まず、図１０（ａ）に示すように、撮像器３は、撮像した第１映像信号の撮像フレームデータを出力する。撮像フレームデータは、信号処理回路４における各種映像信号処理が施されたのち書き込み制御器７の書き込み制御のもとでメモリ６に書き込まれる。書き込み制御器７は、撮像フレームデータの書き込みを間欠制御する。
【０１３７】
書き込み制御器７は、第１映像信号を構成する各第１フレームデータを、書き込み制御信号Ｓ３（図１０（ｂ）参照）に基づいて、メモリ６の各記憶エリアに順次書き込む。なお、図１０中において、メモリ６の各記憶エリアには、順次I,II,III,〜等の数字が付されている。
【０１３８】
この場合、書き込み制御信号Ｓ３は、撮像フレームデータが入力される毎に、書き込み先となるメモリ６の記憶エリア（I,II,III,〜）を、順次変更する信号形態を有している。そのため、撮像フレームデータは、所定の時間間隔毎に記録先（記憶エリア）が順次変更されつつ記録される。以下、メモリ６の記憶エリア（I,II,III,〜）に間欠的に書き込まれる撮影フレームデータを間欠撮影フレームデータという。
【０１３９】
以上説明したメモリ６に対する撮像フレームデータの間欠書き込み動作は、撮像時においてリアルタイムに実施される。次に、メモリ６からのデータ読み出し動作を説明する。メモリ６からのデータ読み出し動作は、メモリ６内において間欠撮像フレームデータがある程度蓄積されたのち実施される。ただし、間欠撮像フレームデータがメモリ６の容量内でしか蓄積できないのはもちろんである。
【０１４０】
まず、間欠撮像フレームデータを第２映像信号に変換する旨の指示入力が、テレビジョンカメラ１に入力される。この指示入力はテレビジョンカメラ１の操作者により実施される。指示入力は、テレビジョンカメラ１が有する入力装置（図示省略）を介して実施される。
【０１４１】
読み出し制御器８は、上記指示入力を検知すると、読み出し制御信号Ｓ４をメモリ６に出力する。読み出し制御信号Ｓ４は、読み出し先であるメモリ６の各記憶エリアI,II,III,〜を１／６０ｓｅｃ毎に順次変更して指示する信号形態を有している。しかも、読み出し制御信号Ｓ４は、以下に示す配置規則（読み出し規則）に基づいて各記憶エリアからフレームデータを読み出している。
【０１４２】
すなわち、この配置規則は、第２フレームレートＹｐ（本実施形態では、２４ｆｐｓ）を有する映像信号（２４ｐ映像信号）のフレームデータを、映像上の実時間が互いに一致するように規格映像信号（本実施形態では、６０ｆｐｓのフレームレートを有する６０ｐ映像信号）中に重複配置する際の配置規則をいう。
【０１４３】
第２フレームレートＹｐが２４ｆｐｓであり、規格フレームレートＳｐが６０ｆｐｓである本実施形態では、配置規則は上述した２−３プルダウン配置規則となる。
【０１４４】
このような本発明の配置規則を実施するためには、第２フレームレートＹｐは、規格フレームレートＳｐより低い（Ｙｐ≦Ｓｐ）ことが条件となる。
【０１４５】
２−３プルダウン配置規則に準じた読み出し制御信号Ｓ４に基づいて、メモリ６の各記憶領域I,II,III,〜に記憶されている各間欠撮像フレームデータが、１／６０ｓｅｃ毎に順次リア）が順次変更されつつ読み出される。
【０１４６】
このようにしてメモリ６から読み出されることで生成される第２映像信号は、６０ｆｐｓのフレームレートを有する映像信号となる。
【０１４７】
このとき、間欠撮像フレームデータがメモリ６に対する間欠書き込み動作により生成されているのに対して、第２映像信号におけるフレームデータ更新期間は１／６０ｓｅｃとなる。
【０１４８】
そのため、それぞれ間欠書き込み動作により取り出された静止画像の集合体である間欠撮像フレームデータが、第２映像信号上において１／６０ｓｅｃ毎に変化する動画映像となる。そのため、第２映像信号を再生すれば、静止画像を擬似的に動画にした再生映像（例えば、アニメーション画像）となる。
【０１４９】
以上の第２映像信号生成動作は、撮像後の任意の時点で実施される。さらには、第２映像信号生成動作中においては、切換スイッチ９の切換操作は、自動的に次のように設定される。すなわち、第２映像信号の生成中、切換スイッチ９は、メモリ６の出力をビューファインダ装置１０に供給する。したがって、生成された第２映像信号はビューファインダ装置１０で表示される。そのため、撮影者は、ビューファインダ装置１０を目視することで、第２映像信号を視認することができる。このとき、表示されている第２映像信号は、間欠撮像フレームデータを擬似的に動画映像にしたものとなる。そのため、ビューファインダ装置１０で第２映像信号を視認することは、擬似的な動画映像とした間欠撮像フレームデータを視認しているのに等しくなる。
【０１５０】
操作者は、第２映像信号を目視してその時間映像効果を確認し、想像していた時間映像効果（擬似的動画映像）が得られていると判断すると、テレビジョンカメラ１に記録指示操作を入力する。記録指示入力は、テレビジョンカメラ１が有する図示しない入力装置に対して実施される。記録指示入力を検知したビデオテープ書き込み装置１１は、メモリ６のデータ読み出し指令を読み出し制御器８に出力する。データ読み出し指令を受けた読み出し制御器８は、上述した読み出し制御と同一の読み出し制御を実施することで、メモリ６から第２映像信号を読み出してビデオテープ書き込み装置１１に出力する。ビデオテープ書き込み装置１１は、メモリ６から供給される第２映像信号をビデオテープＶＴに記憶する。
【０１５１】
上述した実施の形態においては、第２フレームレートＹｐを２４ｆｐｓとし、規格フレームレートＳｐを６０ｆｐｓとした。しかしながら、これは、本発明の実施例の一例に過ぎず、規格フレームレートＳｐは、５０ｆｐｓ,３０ｆｐｓ,２５ｆｐｓ,２４ｆｐｓ等、任意に設定することができる。第２フレームレートＹｐについても、規格フレームレートＳｐより低い（Ｙｐ≦Ｓｐ）値であれば、いかように設定してもよい。要は、所定の配置規則に則って第２フレームデータを重複配置することで規則映像信号を生成することができればよい。本発明は、規格映像信号に対してそのような関係を有する第２フレームレートを設定できれば、実施できる。
【０１５２】
また、上述した実施の形態では、撮像器３に対して、表示用フレームレート変換器５とメモリ６とを並列に接続して、表示用フレームレート変換処理（第１映像信号→規格信号）と、第２映像信号生成処理（第１映像信号→第２映像信号）とを並列処理していた。しかしながら、この他、図１１に示すように、表示用フレームレート変換器５の信号伝達方向下流側にメモリ６を直列接続してもよい。この場合、表示用フレームレート変換処理により得られた規格映像信号を基にして第２映像信号が生成されることになる。このような構成においても本発明を実施することができる。
【０１５３】
さらには、上述した実施の形態では、撮像時においてメモリ６に第１フレームデータを蓄積したうえで、蓄積した第１フレームデータを、撮像後においてメモリ６から一括に読み出すことで第２映像信号を生成していた。しかしながら、撮像時の第１フレームデータの蓄積と同時にメモリ６から第１フレームデータを読み出すことで、第２映像信号を生成してもよい。この場合、比較的長時間の撮像を可能にするためには、メモリ６の容量を大きくする必要があるものの、第２映像信号の生成工程の時間短縮を図ることができる。
【０１５４】
また、この場合、撮像時において、切換スイッチ９を任意に切り換えることで、次のようなビューファインダ装置１０の表示動作を実施することができる。すなわち、撮像時において、ビューファインダ装置１０に、撮像画像の実時間映像（規格映像信号の画像）と、時間映像効果獲得後の映像（第２映像信号の映像）とを任意に切り換えながら表示することができる。
【０１５５】
また、上述した実施の形態におけるテレビジョンカメラ１では、ビデオテープ書き込み装置１１を一体に組み込んでテレビジョンカメラを構成していたが、ビデオテープ書き込み装置１１を別装置にしてもよいのはいうまでもない。
【０１５６】
【発明の効果】
以上説明したように、本発明によれば、テレビジョンカメラ単体で時間映像効果を付与された映像信号を出力することが可能となる。しかも、テレビジョンカメラの大型化（増重量化）や大幅なコストアップを招くことなく、上記時間映像効果を獲得することができる。
【図面の簡単な説明】
【図１】本発明の一実施形態のテレビジョンカメラの構成を示すブロック図である。
【図２】実施の形態のテレビジョンカメラの動作を示すタイミングチャートである。
【図３】実施の形態のテレビジョンカメラの動作を示すタイミングチャートである。
【図４】実施の形態のテレビジョンカメラの動作を示すタイミングチャートである。
【図５】実施の形態のテレビジョンカメラの動作を示すタイミングチャートである。
【図６】実施の形態のテレビジョンカメラの動作を示すタイミングチャートである。
【図７】実施の形態のテレビジョンカメラの動作を示すタイミングチャートである。
【図８】実施の形態のテレビジョンカメラの動作を示すタイミングチャートである。
【図９】実施の形態のテレビジョンカメラの動作を示すタイミングチャートである。
【図１０】実施の形態のテレビジョンカメラの動作を示すタイミングチャートである。
【図１１】本発明の変形例を示すブロック図である。
【図１２】従来のテレビジョンカメラの動作を示すタイミングチャートである。
【図１３】従来のテレビジョンカメラの動作を示すタイミングチャートである。
【符号の説明】
１  テレビジョンカメラ    ２  レンズ部      ３  撮像器
４  信号処理回路      ５  表示用フレームレート変換器
６  メモリ        ７  書き込み制御器
８  読み出し制御器  ９切換スイッチ
１０  ビューファインダ装置    １１  ビデオテープ書き込み装置
ＶＴ  ビデオテープ      Ｘｐ  第１フレームレート
Ｙｐ  第２フレームレート    Ｓｐ  規格フレームレート
Ｓ１  書き込みイネーブル信号（表示用フレームレート変換器用）
Ｓ２  読み出し制御信号（表示用フレームレート変換器用）
Ｓ３  書き込み制御信号（メモリ用）
Ｓ４  読み出し制御信号（メモリ用）
【図１】
0003720812.tif 000002
【図２】
0003720812.tif 000003
【図３】
0003720812.tif 000004
【図４】
0003720812.tif 000005
【図５】
0003720812.tif 000006
【図６】
0003720812.tif 000007
【図７】
0003720812.tif 000008
【図８】
0003720812.tif 000009
【図９】
0003720812.tif 000010
【図１０】
0003720812.tif 000011
【図１１】
0003720812.tif 000012
【図１２】
0003720812.tif 000013
【図１３】
0003720812.tif 000014